(57)【要約】【課題】異物を支持する支持部を清掃する清掃手段を有していない構成に比べ、支持部上の異物に起因する画質の低下を抑制する。【解決手段】回転可能に設けられ、複数の現像部を有し、像保持体上に像を形成する現像手段と、前記現像手段の下方に隙間をもって配置され、異物を支持する支持部と、前記現像手段に設けられ、前記支持部を清掃する清掃手段と、を備える画像形成装置。【選択図】図２
2020030270.tif 000002
【特許請求の範囲】
【請求項１】
回転可能に設けられ、複数の現像部を有し、像保持体上に像を形成する現像手段と、
前記現像手段の下方に隙間をもって配置され、異物を支持する支持部と、
前記現像手段に設けられ、前記支持部を清掃する清掃手段と、
を備える画像形成装置。
【請求項２】
前記清掃手段は、前記現像手段の回転に伴い移動し、前記支持部を清掃する請求項１に記載の画像形成装置。
【請求項３】
移動する前記清掃手段により、前記支持部上の前記異物は、予め定められた箇所まで移動する請求項２に記載の画像形成装置。
【請求項４】
前記支持部上の前記異物は、当該支持部の端部まで移動する請求項３に記載の画像形成装置。
【請求項５】
前記現像手段には、磁性体が設けられ、
前記支持部上の前記異物は、前記磁性体の磁力に起因する当該異物の移動が生じない箇所まで移動する請求項３に記載の画像形成装置。
【請求項６】
前記支持部上の前記異物は、当該異物を保持する保持手段が設けられている箇所まで移動する請求項３に記載の画像形成装置。
【請求項７】
前記清掃手段により移動した前記異物を保持する保持手段を更に備える請求項１に記載の画像形成装置。
【請求項８】
前記保持手段は、粘着力を利用して前記異物を保持する請求項７に記載の画像形成装置。
【請求項９】
前記保持手段は、磁力を利用して前記異物を保持する請求項７に記載の画像形成装置。
【請求項１０】
前記保持手段は、前記異物を収容する収容部に当該異物を収容して当該異物を保持する請求項７に記載の画像形成装置。
【請求項１１】
前記画像形成装置に対して着脱される着脱体が設けられ、
前記保持手段は、前記着脱体に付随して移動する請求項７に記載の画像形成装置。
【請求項１２】
前記現像部は、着脱可能に設けられ、
前記清掃手段は、前記現像部に取り付けられている請求項１に記載の画像形成装置。
【請求項１３】
前記清掃手段は、前記現像手段の径方向における外側方向に向かって突出し、且つ、当該現像手段の回転軸方向に延びるように配置され、
前記清掃手段には、前記外側方向に向かって突出する第１の部位と、突出量および前記回転軸方向における位置が当該第１の部位とは異なる第２の部位とが設けられている請求項１に記載の画像形成装置。
【請求項１４】
前記清掃手段には、前記現像手段の回転軸が延びる方向に向かって進行するに従い当該現像手段の回転方向上流側又は回転方向下流側に向かう部分が設けられている請求項１に記載の画像形成装置。
【請求項１５】
前記現像手段の回転方向における位置が互いに異なる複数箇所に、前記清掃手段が設けられている請求項１に記載の画像形成装置。
【発明の詳細な説明】
【技術分野】
【０００１】
本発明は、画像形成装置に関する。
【背景技術】
【０００２】
特許文献１には、装置フレーム若しくは装置フレーム内へ組み込まれた部材から異物が落下するのを阻止するための異物落下阻止部材が設けられた画像形成装置が開示されている。
【先行技術文献】
【特許文献】
【０００３】
【特許文献１】特開２０００−２９８３８４号公報
【発明の概要】
【発明が解決しようとする課題】
【０００４】
画像形成装置では、回転可能な現像手段が設けられるとともに、この現像手段の下方に、異物を支持する支持部が設けられることがある。ここで、支持部上に異物があると、この異物に起因して、形成される画像の質の低下を招くおそれがある。
本発明の目的は、異物を支持する支持部を清掃する清掃手段を有していない構成に比べ、支持部上の異物に起因する画質の低下を抑制することにある。
【課題を解決するための手段】
【０００５】
請求項１に記載の発明は、回転可能に設けられ、複数の現像部を有し、像保持体上に像を形成する現像手段と、前記現像手段の下方に隙間をもって配置され、異物を支持する支持部と、前記現像手段に設けられ、前記支持部を清掃する清掃手段と、を備える画像形成装置である。
請求項２に記載の発明は、前記清掃手段は、前記現像手段の回転に伴い移動し、前記支持部を清掃する請求項１に記載の画像形成装置である。
請求項３に記載の発明は、移動する前記清掃手段により、前記支持部上の前記異物は、予め定められた箇所まで移動する請求項２に記載の画像形成装置である。
請求項４に記載の発明は、前記支持部上の前記異物は、当該支持部の端部まで移動する請求項３に記載の画像形成装置である。
請求項５に記載の発明は、前記現像手段には、磁性体が設けられ、前記支持部上の前記異物は、前記磁性体の磁力に起因する当該異物の移動が生じない箇所まで移動する請求項３に記載の画像形成装置である。
請求項６に記載の発明は、前記支持部上の前記異物は、当該異物を保持する保持手段が設けられている箇所まで移動する請求項３に記載の画像形成装置である。
請求項７に記載の発明は、前記清掃手段により移動した前記異物を保持する保持手段を更に備える請求項１に記載の画像形成装置である。
請求項８に記載の発明は、前記保持手段は、粘着力を利用して前記異物を保持する請求項７に記載の画像形成装置である。
請求項９に記載の発明は、前記保持手段は、磁力を利用して前記異物を保持する請求項７に記載の画像形成装置である。
請求項１０に記載の発明は、前記保持手段は、前記異物を収容する収容部に当該異物を収容して当該異物を保持する請求項７に記載の画像形成装置である。
請求項１１に記載の発明は、前記画像形成装置に対して着脱される着脱体が設けられ、前記保持手段は、前記着脱体に付随して移動する請求項７に記載の画像形成装置である。
請求項１２に記載の発明は、前記現像部は、着脱可能に設けられ、前記清掃手段は、前記現像部に取り付けられている請求項１に記載の画像形成装置である。
請求項１３に記載の発明は、前記清掃手段は、前記現像手段の径方向における外側方向に向かって突出し、且つ、当該現像手段の回転軸方向に延びるように配置され、前記清掃手段には、前記外側方向に向かって突出する第１の部位と、突出量および前記回転軸方向における位置が当該第１の部位とは異なる第２の部位とが設けられている請求項１に記載の画像形成装置である。
請求項１４に記載の発明は、前記清掃手段には、前記現像手段の回転軸が延びる方向に向かって進行するに従い当該現像手段の回転方向上流側又は回転方向下流側に向かう部分が設けられている請求項１に記載の画像形成装置である。
請求項１５に記載の発明は、前記現像手段の回転方向における位置が互いに異なる複数箇所に、前記清掃手段が設けられている請求項１に記載の画像形成装置である。
【発明の効果】
【０００６】
請求項１の発明によれば、異物を支持する支持部を清掃する清掃手段を有していない構成に比べ、支持部上の異物に起因する画質の低下を抑制することができる。
請求項２の発明によれば、現像手段を回転させることで支持部の清掃を行える。
請求項３の発明によれば、支持部上の異物を予め定められた箇所に集めることができる。
請求項４の発明によれば、支持部の端部に、支持部上の異物を集めることができる。
請求項５の発明によれば、磁性体の磁力に起因する異物の移動が生じる箇所へ異物が移動する場合に比べ、異物が移動することを抑制できる。
請求項６の発明によれば、保持手段が設けられている箇所まで異物が移動しない場合に比べ、異物が移動することを抑制できる。
請求項７の発明によれば、異物を保持する保持手段が設けられていない場合に比べ、異物が移動することを抑制できる。
請求項８の発明によれば、粘着力を利用して異物の保持を行うことができる。
請求項９の発明によれば、磁力を利用して異物の保持を行うことができる。
請求項１０の発明によれば、粘着剤や磁力を利用せずに、異物の保持を行うことができる。
請求項１１の発明によれば、着脱体の交換とは別に保持手段の交換を行わないといけない場合に比べ、保持手段の交換作業の手間を軽減できる。
請求項１２の発明によれば、現像部の交換とは別に清掃手段の交換を行わないといけない場合に比べ、清掃手段の交換作業の手間を軽減できる。
請求項１３の発明によれば、清掃手段の突出量が清掃手段の部位に応じて異ならない場合に比べ、清掃手段から、この清掃手段が接触する部材に作用する荷重を低減できる。
請求項１４の発明によれば、現像手段の回転軸方向へ異物を移動させることができる。
請求項１５の発明によれば、現像手段の一箇所に清掃手段が設けられる場合に比べ、支持部の清掃効率を高めることができる。
【図面の簡単な説明】
【０００７】
【図１】画像形成装置の全体構成を示した図である。
【図２】現像装置の周辺の構成を示した図である。
【図３】図２の矢印ＩＩＩ方向から清掃部材を眺めた場合の図であって、自然状態にある清掃部材を示した図である。
【図４】（Ａ）〜（Ｃ）は、清掃部材の動きを説明する図である。
【図５】支持部の他の構成例を示した図である。
【図６】清掃部材の他の構成例を示した図である。
【図７】（Ａ）、（Ｂ）は、図２の矢印ＶＩＩ示す方向から現像装置および清掃部材を眺めた場合の図であって、清掃部材の配置態様を上記とは異ならせた場合の構成を示した図である。
【図８】現像装置の他の構成例を示した図である。
【発明を実施するための形態】
【０００８】
以下、添付図面を参照して、本発明の実施の形態について説明する。
図１は、本実施形態の画像形成装置１の全体構成を示した図である。
画像形成装置１には、ドラムユニット１０が設けられている。着脱体の一例としてのこのドラムユニット１０は、画像形成装置１の装置本体１Ａに対して着脱可能に設けられている。
このドラムユニット１０には、像保持体の一例としての感光体ドラムＰＲが設けられている。感光体ドラムＰＲは、矢印Ｙａ方向に回転駆動される。
【０００９】
さらに、ドラムユニット１０には、感光体ドラムＰＲの帯電を行う帯電器ＣＣ、感光体ドラムＰＲの清掃を行うドラムクリーナＣＬ１が設けられている。
さらに、本実施形態では、ドラムユニット１０の上方に、感光体ドラムＰＲへの光照射を行う露光装置２０が設けられている。
本実施形態では、帯電器ＣＣにより、感光体ドラムＰＲが帯電された後、露光装置２０による露光が行われる。これにより、感光体ドラムＰＲの表面に、画像データに対応した、静電潜像が形成される。
【００１０】
ここで、カラーの画像が形成される場合には、感光体ドラムＰＲに、黒（Ｋ）、イエロー（Ｙ）、マゼンタ（Ｍ）、シアン（Ｃ）の４色の画像の各々に対応した静電潜像が順に形成される。
一方、単色の画像が形成される場合は、感光体ドラムＰＲ上に、例えば、黒（Ｋ）に対応した静電潜像が形成される。
【００１１】
感光体ドラムＰＲの右方には、回転式の現像装置３０（ロータリ式の現像装置３０）が配置されている。現像装置３０は、回転軸３０Ａを中心に、時計回り方向へ回転する。
さらに、現像装置３０の下方には、異物、例えば上方からの落下物や、金属部材や樹脂部材の磨耗粉など、現像剤ではないものや、現像剤であっても現像装置や、現像装置に現像剤を供給する現像剤カートリッジから漏れた現像剤を支持する支持部４０が設けられている。この支持部４０は、板状に形成され、自身が有する一方の面である上面４０Ａで、上方からの異物を受ける。
【００１２】
現像手段の一例としてのこの現像装置３０には、４つの現像器３１（現像部の一例）が設けられている。
具体的には、現像装置３０には、黒（Ｋ）、イエロー（Ｙ）、マゼンタ（Ｍ）、シアン（Ｃ）の４色の画像に対応して、４つの現像器３１が設けられている。
黒（Ｋ）の現像器３１は、黒に対応した静電潜像（感光体ドラムＰＲに形成された静電潜像）の現像を行い、感光体ドラムＰＲ上に、黒のトナー像を形成する。
同様に、イエロー（Ｙ）の現像器３１は、感光体ドラムＰＲ上に、イエローのトナー像を形成し、マゼンタ（Ｍ）の現像器３１は、感光体ドラムＰＲ上に、マゼンタのトナー像を形成し、シアン（Ｃ）の現像器３１は、感光体ドラムＰＲ上に、シアンのトナー像を形成する。
【００１３】
現像器３１の各々には、現像剤の一例であるトナーを、その表面に保持する現像ロール３２が設けられている。
本実施形態では、現像装置３０が９０°ごとに回転し、感光体ドラムＰＲに対向配置される現像ロール３２が順次切り替わることで、感光体ドラムＰＲに、４色分の画像が順次形成される。
【００１４】
現像ロール３２は、円筒状の回転体と、この回転体の内部に配置された磁極とを有し、この磁極が、現像器３１内の現像剤を吸引することで、回転体の表面に現像剤が付着する。
さらに、本実施形態の現像器３１の各々には、現像剤を搬送する搬送部材３３が設けられている。本実施形態では、この搬送部材３３により、各現像器３１内にて、現像剤が搬送されさらに現像剤が攪拌される。
【００１５】
感光体ドラムＰＲの下方には、中間転写体の一例としての中間転写ベルトＢＴが配置されている。中間転写ベルトＢＴは、駆動ロールＲｄから駆動力を受け、反時計回り方向への循環移動（周回移動）を行う。
中間転写ベルトＢＴの内側であって、感光体ドラムＰＲの対向位置には、一次転写ロール５１が設けられ、本実施形態では、この感光体ドラムＰＲと一次転写ロール５１とにより、一次転写部Ｔ１が形成される。
【００１６】
また、中間転写ベルトＢＴの内側には、バックアップロールＴ２ａが配置され、さらに、中間転写ベルトＢＴを挟み、バックアップロールＴ２ａの対向位置に、２次転写ロールＴ２ｂが配置されている。
本実施形態では、バックアップロールＴ２ａと２次転写ロールＴ２ｂとによって、二次転写部Ｔ２が形成される。
さらに、画像形成装置１の下部には、記録材の一例である用紙を収容する用紙収容部６０が複数設けられている。用紙収容部６０内の用紙は、搬送経路Ｒを通って、二次転写部Ｔ２まで搬送される。
【００１７】
フルカラーの画像が形成される場合は、まず、露光装置２０によって、感光体ドラムＰＲ上に、１色目の静電潜像が形成される。
次いで、現像装置３０によって、１色目のトナー像が感光体ドラムＰＲ上に形成される。具体的には、現像位置ＧＰにて、感光体ドラムＰＲ上に、１色目のトナー像が付着し、感光体ドラムＰＲ上に、１色目のトナー像が形成される。
この１色目のトナー像は、一次転写部Ｔ１にて、中間転写ベルトＢＴ上に転写される。
【００１８】
その後、同様にして、中間転写ベルトＢＴ上に、第２色目のトナー像、第３色目のトナー像、第４色目のトナー像が順次転写され、最終的に、複数色のトナー像が重ねられたトナー像が、中間転写ベルトＢＴ上に形成される。
そして、中間転写ベルトＢＴ上に形成された、複数色のこのトナー像は、二次転写部Ｔ２にて、用紙収容部６０から搬送されてきた用紙に転写される。
【００１９】
なお、２次転写ロールＴ２ｂは、中間転写ベルトＢＴ上にトナー像が順次転写される際には、中間転写ベルトＢＴから離間しており、中間転写ベルトＢＴ上に、上記の複数色のトナー像が形成されると、バックアップロールＴ２ａに向かって移動する。これにより、二次転写部Ｔ２が形成される。
【００２０】
二次転写部Ｔ２を通過した用紙は（複数色のトナー像が転写された用紙は）、定着装置Ｆへ搬送される。定着装置Ｆでは、加熱ロールＦｈと、加圧ロールＦｐとにより、この用紙が加圧および加熱され、トナー像が用紙に定着される。
そして、定着が済んだ用紙は、最終的に、用紙積載部ＴＲｈに積載される。
【００２１】
図２は、現像装置３０の周辺の構成を示した図である。なお、図２では、図１に比べ、各部を簡略化して表示している。
本実施形態では、現像装置３０に、４つの現像器３１が設けられている。この４つの現像器３１は、現像装置３０の回転方向において、９０°おきに配置されている。
現像装置３０には、不図示の駆動源によって矢印２Ａで示す方向へ回転する回転部３５が設けられている。この回転部３５は、回転軸３０Ａを中心に回転する。また、回転部３５は、４つの現像器３１を支持する。本実施形態では、４つの現像器３１の各々は、この回転部３５に対して着脱可能な状態で設けられている。
【００２２】
さらに、本実施形態では、支持部４０の清掃を行う清掃部材７０が、現像装置３０に取り付けられている。
清掃手段の一例としてのこの清掃部材７０は、可撓性を有するシート状の部材により構成されている。具体的には、清掃部材７０は、例えば、ウレタンシートなど、感光体ドラムＰＲ等に傷などを生じさせにくい材料により構成されている。
付言すると、本実施形態では、清掃部材７０は、現像位置ＧＰまで達すると感光体ドラムＰＲに接触し、また、清掃部材７０は、感光体ドラムＰＲの周辺に配置された部材に接触する。このため、清掃部材７０は、感光体ドラムＰＲ等に傷などを生じさせにくい材料により構成される。
【００２３】
清掃部材７０は、現像装置３０の回転に伴い移動し、支持部４０を清掃する。
具体的には、清掃部材７０は、支持部４０の上面４０Ａに接触しながら移動し、支持部４０の上面４０Ａを清掃する。より具体的には、清掃部材７０は、支持部４０の上面４０Ａに接触しながら移動し、上面４０Ａの上に載っている異物７５を、現像装置３０の回転方向における下流側へ移動させる。
【００２４】
図３は、図２の矢印ＩＩＩ方向から清掃部材７０を眺めた場合の図であって、自然状態にある清掃部材７０を示した図である。
清掃部材７０は、長方形状に形成されている。本実施形態では、清掃部材７０の長手方向が、現像装置３０の回転軸３０Ａ（図２参照）に沿うように、清掃部材７０が現像装置３０に取り付けられる。言い換えると、清掃部材７０は、現像装置３０の回転軸３０Ａ方向に延びるように配置される。
【００２５】
さらに、清掃部材７０は、図２に示すように、現像装置３０の径方向における外側方向に向かって突出するように設けられている。付言すると、清掃部材７０は、回転部３５の外周縁３５Ａよりも外側方向に向かって突出した状態で設けられている。
さらに、本実施形態では、現像装置３０のうち、回転部３５の外周縁３５Ａよりも内側に位置する部分に対して、清掃部材７０が取り付けられ、さらに、清掃部材７０は、その一部が、回転部３５の外周縁３５Ａよりも外側に位置している。
【００２６】
さらに、図２に示すように、本実施形態では、支持部４０の端部４１に、異物を保持する保持手段の一例としての保持部材４２が設けられている。
具体的には、支持部４０のうち、現像装置３０の回転方向における下流側に位置する端部４１に、異物を保持する保持部材４２が設けられている。
保持部材４２の表面には、粘着剤が存在し、保持部材４２は、粘着力を利用して異物を保持する。
【００２７】
図４（Ａ）〜（Ｃ）は、清掃部材７０の動きを説明する図である。
本実施形態では、現像装置３０の回転に伴い、図４（Ａ）、（Ｂ）に示すように、清掃部材７０が、支持部４０の上面４０Ａに沿って移動して、最終的に、清掃部材７０は、予め定められた箇所まで移動する。
ここで、予め定められた箇所とは、例えば、現像手段との距離が異物付着位置よりも離れている場所であったり、異物の拘束力が強い位置であったり、現像手段に異物が付着などして、像形成に影響を与えにくい箇所などをいう。
具体的には、図４（Ｃ）に示すように、清掃部材７０は、支持部４０の端部４１まで移動する。
【００２８】
これにより、本実施形態では、支持部４０の上に載っていた異物７５も、図４（Ｃ）に示すように、支持部４０の端部４１まで移動する。
そして、支持部４０の端部４１まで移動した異物７５は、この端部４１にある保持部材４２に付着し、この保持部材４２により保持される。
【００２９】
ここで、支持部４０の清掃を行わない場合、支持部４０上の異物７５に起因して、形成される画像の質の低下を招くおそれがある。
具体的には、支持部４０上に異物７５があると、この異物７５が現像器３１に付着して、現像位置ＧＰまで移動し、形成される画像の質の低下を招くおそれがある。
【００３０】
より具体的には、支持部４０上の異物７５があると、現像ロール３２内に設けられた磁極（磁性体）によって、異物７５が、現像器３１に付着するおそれがある。
そして、この異物７５は、現像装置３０の回転に伴い、現像位置ＧＰまで移動し、これにより、形成される画像の質の低下を招くおそれがある。
【００３１】
より具体的には、部品の製造において、スパッタ粉やネジの切り粉など、磁力からの影響を受ける物質を主体とした異物が生じることがあり、これらを完全に除去することは難しい。この場合、画像形成装置１の輸送時の振動や、画像形成装置１の稼働時に、この異物が、付着していた箇所から離れて落下し、支持部４０に載ることがある。
そして、この場合、支持部４０上のこの異物の除去を行わないと、この異物が、現像位置ＧＰに達し、感光体ドラムＰＲの表面に傷を発生させることがある。そして、この場合、この傷によって、形成される画像の質の低下を招く。
【００３２】
これに対し、本実施形態の構成では、清掃部材７０により、支持部４０の上面４０Ａが清掃され、支持部４０上の異物７５が減る。これにより、現像位置ＧＰに向かう異物７５が減り、画像の質の低下が起きにくくなる。
さらに、本実施形態では、異物７５が保持部材４２により保持されるため、異物７５を、予め定められた箇所まで単に移動させる場合に比べ、現像位置ＧＰに向かう異物７５がさらに減る。
【００３３】
なお、異物７５の保持は、粘着剤の利用に限らず、例えば、磁石を設置し、磁力を利用して異物７５を保持してもよい。
さらに、例えば、図５（支持部４０の他の構成例を示した図）に示すように、異物７５を収容する収容部４７を設け、異物７５をこの収容部４７に収容して異物７５を保持してもよい。
この構成では、収容部４７として凹部４８を形成し、この凹部４８内に、異物７５を落とすことで、異物７５の保持を行っている。
また、収容部４７による他の収容形態としては、支持部４０の端部４１に貫通孔を形成するとともに、下方に、収容容器（不図示）を設置し、この収容容器に、異物７５を収容してもよい。
【００３４】
さらに、支持部４０上の異物７５は、現像装置３０（現像ロール３２）に設けられた磁性体（磁極）の磁力に起因する、異物７５の移動が生じない箇所まで移動させてもよい。
この場合は、上記の保持部材４２が無くても、現像装置３０側への異物７５の移動（転移）を抑えられる。
ここで、図５にて示した構成例では、磁性体（磁極）の磁力に起因する、異物７５の移動が生じないようになっている。
【００３５】
具体的には、図５にて示した構成例では、凹部４８があることにより、異物７５が集まる箇所が、現像装置３０から離れるようになり、例えば、この凹部４８の底４８Ａでは、異物７５に作用する磁力が小さくなる。言い換えると、凹部４８の底４８Ａでは、現像装置３０に設けられた磁性体に起因する磁力が及びにくくなる。
この場合、凹部４８内に収容された異物７５は、現像装置３０側へ移動しにくくなり、現像装置３０への異物７５の付着（転移）が抑制される。この場合、保持部材４２が無くても、現像装置３０への異物７５の付着（転移）を抑えられる。
【００３６】
さらに、本実施形態のように、支持部４０の端部４１に異物７５が集められる構成では、支持部４０の中央部側に異物７５が集まる構成に比べ、集まった状態の異物７５の回収を行いやすくなる。
具体的には、本実施形態では、ドラムユニット１０（図２参照）を取り外すと、図２の符号２Ａで示す部分に、手を入れられる空間が生じ、この空間を通じて、支持部４０の端部４１にある異物７５の回収を行える。
この場合、支持部４０の端部４１よりも支持部４０の中央部４０Ｃ側に異物７５が集まる構成に比べ、異物７５の回収を行いやすくなる。
【００３７】
さらに、本実施形態では、図２に示すように、清掃部材７０は、着脱可能に設けられた現像器３１に対して取り付けられている。このように、現像器３１に対して清掃部材７０を取り付けると、現像器３１の交換に伴い、清掃部材７０が新たな清掃部材７０に交換される。
付言すると、現像器３１は、現像回数が予め定められた回数を超えた場合など、特定の条件が満たされた場合に、新しい現像器３１に交換される。
この場合に、清掃部材７０が現像器３１に取り付けられた構成であると、現像器３１の交換に伴い、清掃部材７０も交換される。
なお、清掃部材７０は、現像器３１に限らず回転部３５に取り付けてもよい。
【００３８】
（他の構成例）
上記では、保持部材４２（図２参照）が、支持部４０に設けられた場合を説明したが、保持部材４２は、着脱体の一例であるドラムユニット１０に対して取り付け、このドラムユニット１０に付随して移動するようにしてもよい。この場合、ドラムユニット１０が交換されると、保持部材４２も新たな保持部材４２に交換される。
なお、保持部材４２の取り付け先は、ドラムユニット１０に限らない。画像形成装置１の装置本体１Ａに着脱される着脱体であれば、ドラムユニット１０以外に対して、保持部材４２を取り付けてもよい。
【００３９】
また、上記では、図３にて示したとおり、清掃部材７０が長方形状に形成され、さらに、現像装置３０からの清掃部材７０の突出量が、現像装置３０の軸方向における何れの位置でも同じであった。
但し、これに限らず、突出量は、現像装置３０の軸方向における位置に応じて異ならせてもよい。
【００４０】
具体的には、清掃部材７０には、例えば、図６（清掃部材７０の他の構成例を示した図）に示すように、現像装置３０からの突出量が互いに異なるようになる、第１の部位７０Ａおよび第２の部位７０Ｂを設けるようにしてもよい。
より具体的には、この構成例では、第１の部位７０Ａの突出量の方が、第２の部位７０Ｂの突出量よりも大きくなっている。さらに、第１の部位７０Ａおよび第２の部位７０Ｂは、現像装置３０の軸方向における設置位置が互いに異なっている。
【００４１】
ここで、感光体ドラムＰＲの周囲には、感光体ドラムＰＲの電位を検知するセンサ等が設けられることがある。
この場合に、上記のように、突出量が小さい第２の部位７０Ｂを設けると、このセンサ等に対して清掃部材７０が接触する際の接触圧を低下させられる。又は、突出量が小さい第２の部位７０Ｂを設けると、センサ等に対して清掃部材７０が接触しないようになる。
なお、突出量が小さいこの第２の部位７０Ｂについても、支持部４０の上面４０Ａに接触するように設けることが好ましい。
【００４２】
また、清掃部材７０は、図７に示すように配置してもよい。
図７（Ａ）、（Ｂ）は、図２の矢印ＶＩＩ示す方向から現像装置３０および清掃部材７０を眺めた場合の図であって、清掃部材７０の配置態様を上記とは異ならせた場合の構成例を示した図である。
図７（Ａ）にて示す構成例では、清掃部材７０が、現像装置３０の回転軸３０Ａ方向に沿って直線状に配置されておらず、この清掃部材７０では、一部が、現像装置３０の回転軸３０Ａ方向に対して傾斜した状態で配置されている。
【００４３】
言い換えると、図７（Ａ）にて示すこの清掃部材７０では、一部が、現像装置３０の回転軸３０Ａが延びる方向に向かって進行するに従い、現像装置３０の回転方向上流側に向かい、また、他の一部が、現像装置３０の回転軸３０Ａが延びる方向に向かって進行するに従い、回転方向下流側に向かっている。
【００４４】
具体的には、符号７Ｅで示す箇所では、清掃部材７０は、図中、矢印７Ｘで示す方向に向かって進行するに従い、現像装置３０の回転方向上流側に向かう。さらに、符号７Ｆで示す箇所では、清掃部材７０は、矢印７Ｘで示す方向に向かって進行するに従い、現像装置３０の回転方向下流側に向かう。
この構成例では、清掃部材７０によって移動する異物７５は、現像装置３０の軸方向における中央部側に寄るようになる。
【００４５】
また、図７（Ｂ）にて示す構成例では、清掃部材７０の全体が、現像装置３０の回転軸３０Ａに対して傾斜している。
言い換えると、図７（Ｂ）にて示す構成例では、清掃部材７０は、図中矢印７Ｙで示す方向に向かって進行するに従い、現像装置３０の回転方向上流側に向かう。
付言すると、図７（Ｂ）にて示す構成例では、清掃部材７０は、長手方向における一端部７０Ｃから他端部７０Ｄに向かって進行するに従い、現像装置３０の回転方向上流側に向かう。
この構成例では、清掃部材７０によって移動する異物７５は、現像装置３０の軸方向における一端部３９側へ移動する。
【００４６】
なお、上記では、清掃手段として、支持部４０に接触して移動する清掃部材７０を一例に説明したが、これに限らず、現像装置３０の一部に吸引用の開口を形成し、この吸引用の開口から、支持部４０上の異物７５を吸引してもよい。
さらに、上記では、現像装置３０の周方向における一箇所に、清掃部材７０を設けたが、図８（現像装置３０の他の構成例を示した図）に示すように、現像装置３０のうちの回転方向における位置が互いに異なる複数箇所に、清掃部材７０を設けてもよい。即ち、清掃部材７０は、複数設けてもよい。
なお、複数設ける場合も、上記と同様、清掃部材７０の各々は、回転部３５ではなく、現像器３１に取り付けることが好ましい。
【符号の説明】
【００４７】
１…画像形成装置、１０…ドラムユニット、３０…現像装置、３１…現像器、４０…支持部、４１…端部、４２…保持部材、４７…収容部、７０…清掃部材、７０Ａ…第１の部位、７０Ｂ…第２の部位、７５…異物、ＰＲ…感光体ドラム
【図１】
2020030270.tif 000003
【図２】
2020030270.tif 000004
【図３】
2020030270.tif 000005
【図４】
2020030270.tif 000006
【図５】
2020030270.tif 000007
【図６】
2020030270.tif 000008
【図７】
2020030270.tif 000009
【図８】
2020030270.tif 000010